(57)【要約】【課題】出力動作の実行を繰り返し指示する際のユーザの利便性を向上させた携帯端末のプログラムを提供する。【解決手段】端末プログラムは、近距離無線接続された画像出力装置を指定装置として特定する特定処理（Ｓ４６：装置にかざす）と、指定装置から受信した接続情報をメモリに記憶させる第１記憶処理（Ｓ５１）と、指定データの指定を受け付ける第１受付処理（Ｓ４２）と、接続情報が記憶されていないことに応じて（Ｓ４３：Ｎｏ）、入力Ｉ／Ｆを通じて指示操作を受け付けない受付規制処理（Ｓ４５）と、接続情報が記憶されていることに応じて（Ｓ４３：Ｙｅｓ）、入力Ｉ／Ｆを通じて指示操作を受け付ける第２受付処理（Ｓ４４＆Ｓ４６）と、メモリに記憶された接続情報を用いて、Ｗｉ−Ｆｉ通信Ｉ／Ｆを通じて指定装置に出力指示情報を送信する第１出力指示処理（Ｓ４８）とを携帯端末に実行させる。【選択図】図６
2020074137.tif 000002
【特許請求の範囲】
【請求項１】
近距離無線通信が可能な第１通信インタフェースと、前記第１通信インタフェースより通信範囲の広い無線通信が可能な第２通信インタフェースと、メモリと、ユーザによる操作を受け付ける入力インタフェースとを備える携帯端末によって実行可能なプログラムであって、
該プログラムは、
前記第１通信インタフェースと近距離無線接続された画像出力装置を、指定装置として特定する特定処理と、
前記第２通信インタフェースを通じて前記指定装置と通信するための接続情報を、前記指定装置から受信する受信処理と、
前記受信処理で受信した前記接続情報を前記メモリに記憶させる第１記憶処理と、
指定データを指定するユーザ操作を、前記入力インタフェースを通じて受け付ける第１受付処理と、
前記第１受付処理で前記指定データが指定されたことに応じて、前記メモリに前記接続情報が記憶されているか否かを判断する第１判断処理と、
記憶されていないと前記第１判断処理で判断したことに応じて、前記指定装置に出力動作を実行させる指示に対応する指示操作を、前記入力インタフェースを通じて受け付けない受付規制処理とを前記携帯端末に実行させ、前記出力動作は、前記指定データを出力する動作であり、
該プログラムは、
記憶されていると前記第１判断処理で判断したことに応じて、前記入力インタフェースを通じて前記指示操作を受け付ける第２受付処理と、
前記第２受付処理で前記指示操作を受け付けたことに応じて、前記メモリに記憶された前記接続情報を用いて、前記第２通信インタフェースを通じて前記指定装置に出力指示情報を送信する第１出力指示処理とを前記携帯端末に実行させ、前記出力指示情報は、前記指定データに対する前記出力動作の実行を指示する情報であるプログラム。
【請求項２】
前記携帯端末は、ディスプレイを備えており、
該プログラムは、記憶されていると前記第１判断処理で判断したことに応じて、プレビュー画像及び有効な実行指示オブジェクトを含むプレビュー画面を前記ディスプレイに表示させるプレビュー処理を前記携帯端末に実行させ、前記プレビュー画像は、前記指定データで示される画像がシートに記録された状態を示す画像であり、
該プログラムは、
前記第２受付処理において、有効な前記実行指示オブジェクトを指定するユーザ操作を、前記指示操作として受け付け、
前記受付規制処理において、前記実行指示オブジェクトを無効化した前記プレビュー画面を前記ディスプレイに表示させる請求項１に記載のプログラム。
【請求項３】
該プログラムは、前記プレビュー画面を前記ディスプレイに表示させた状態で、前記第１通信インタフェースと前記画像出力装置とが近距離無線接続されたことに応じて、近距離無線接続された前記画像出力装置に前記第２通信インタフェースを通じて前記出力指示情報を送信する第２出力指示処理を、前記携帯端末にさらに実行させる請求項２に記載のプログラム。
【請求項４】
前記第２通信インタフェースは、中継装置を経由せずに外部装置と無線通信する直接無線通信が可能であり、
該プログラムは、前記第２出力指示処理において、前記直接無線通信によって前記出力指示情報を送信する請求項３に記載のプログラム。
【請求項５】
前記メモリは、前記接続情報に対応付けられた第１条件情報と、前記第１条件情報と異なる第２条件情報とを記憶しており、前記第１条件情報及び前記第２条件情報は、前記出力動作の実行条件を示す情報であり、
該プログラムは、
前記第１出力指示処理において、前記第１条件情報で示される前記実行条件に従った前記出力動作の実行を指示する前記出力指示情報を送信し、
前記第２出力指示処理において、前記第２条件情報で示される前記実行条件に従った前記出力動作の実行を指示する前記出力指示情報を送信する請求項３又は４に記載のプログラム。
【請求項６】
該プログラムは、
前記受信処理において、前記指定装置に対して指定可能な前記実行条件の一覧を示す能力情報をさらに受信し、
前記第１条件情報に含める前記実行条件を前記能力情報の範囲内で指定するユーザ操作を、前記入力インタフェースを通じて受け付ける第３受付処理と、
前記第３受付処理で指定された前記実行条件を示す前記第１条件情報を、前記メモリに記憶させる第２記憶処理とを前記携帯端末に実行させる請求項５に記載のプログラム。
【請求項７】
前記第２通信インタフェースは、中継装置を経由して外部装置と無線通信する間接無線通信が可能であり、
該プログラムは、
前記受信処理で受信した前記接続情報を用いて前記指定装置と前記間接無線通信が可能か否かを判断する第２判断処理と、
前記間接無線通信が可能と前記第２判断処理で判断したことに応じて、前記第１記憶処理とを前記携帯端末に実行させ、
前記第１出力指示処理において、前記間接無線通信によって前記出力指示情報を送信する請求項１から６のいずれかに記載のプログラム。
【請求項８】
該プログラムは、
前記特定処理で前記指定装置を特定したことに応じて、前記メモリに前記接続装置が既に記憶されているか否かを判断する第３判断処理と、
記憶されていないと前記第３判断処理で判断したことに応じて、前記第１記憶処理とを前記携帯端末に実行させる請求項１から７のいずれかに記載のプログラム。
【請求項９】
該プログラムは、
記憶されていると前記第３判断処理で判断したことに応じて、前記メモリに記憶されている前記接続情報を、前記受信処理で受信した前記接続情報で上書きするか否かを選択するユーザ操作を、前記入力インタフェースを通じて受け付ける第４受付処理と、
前記第４受付処理で上書きが選択されたことに応じて、前記第１記憶処理とを前記携帯端末に実行させる請求項８に記載のプログラム。
【請求項１０】
近距離無線通信が可能な第１通信インタフェースと、
前記第１通信インタフェースより通信範囲の広い無線通信が可能な第２通信インタフェースと、
メモリと、
ユーザによる操作を受け付ける入力インタフェースと、
制御部とを備える携帯端末であって、
前記制御部は、
前記第１通信インタフェースと近距離無線接続された画像出力装置を、指定装置として特定する特定処理と、
前記第２通信インタフェースを通じて前記指定装置と通信するための接続情報を、前記指定装置から受信する受信処理と、
前記受信処理で受信した前記接続情報を前記メモリに記憶させる第１記憶処理と、
指定データを指定するユーザ操作を、前記入力インタフェースを通じて受け付ける第１受付処理と、
前記第１受付処理で前記指定データが指定されたことに応じて、前記メモリに前記接続情報が記憶されているか否かを判断する第１判断処理と、
記憶されていないと前記第１判断処理で判断したことに応じて、前記指定装置に出力動作を実行させる指示に対応する指示操作を、前記入力インタフェースを通じて受け付けない受付規制処理とを実行し、前記出力動作は、前記指定データを出力する動作であり、
前記制御部は、
記憶されていると前記第１判断処理で判断したことに応じて、前記入力インタフェースを通じて前記指示操作を受け付ける第２受付処理と、
前記第２受付処理で前記指示操作を受け付けたことに応じて、前記メモリに記憶された前記接続情報を用いて、前記第２通信インタフェースを通じて前記指定装置に出力指示情報を送信する第１出力指示処理とを実行し、前記出力指示情報は、前記指定データに対する前記出力動作の実行を指示する情報である携帯端末。
【発明の詳細な説明】
【技術分野】
【０００１】
本発明は、近距離無線通信を利用して画像出力装置を動作させる携帯端末のプログラムに関する。
【背景技術】
【０００２】
特許文献１には、携帯端末とプリンタとが近距離無線接続されたことをトリガとして、携帯端末がプリンタにプリント動作の実行を指示するシステムが開示されている。特許文献１のシステムによれば、携帯端末のユーザは、プリンタとの近距離無線通信が可能な範囲に携帯端末を近づけるだけで、プリンタにプリント動作を実行させることができる。
【先行技術文献】
【特許文献】
【０００３】
【特許文献１】特開２０１４−１９５１５１号公報
【発明の概要】
【発明が解決しようとする課題】
【０００４】
しかしながら、特許文献１のシステムにおいて、携帯端末のユーザは、プリンタにプリント動作を実行させようとする度に、当該プリンタの近くまで行かなければならない。すなわち、特許文献１のシステムは、同一のプリンタに対してプリント動作の実行を繰り返し指示する場合に、ユーザの利便性を損なう可能性がある。
【０００５】
本発明は、上記の事情に鑑みてなされたものであり、その目的は、近接無線接続された画像出力装置に対して、出力動作の実行を繰り返し指示する際のユーザの利便性を向上させた携帯端末のプログラムを提供することにある。
【課題を解決するための手段】
【０００６】
本明細書に記載のプログラムは、近距離無線通信が可能な第１通信インタフェースと、前記第１通信インタフェースより通信範囲の広い無線通信が可能な第２通信インタフェースと、メモリと、ユーザによる操作を受け付ける入力インタフェースとを備える携帯端末によって実行可能である。該プログラムは、前記第１通信インタフェースと近距離無線接続された画像出力装置を、指定装置として特定する特定処理と、前記第２通信インタフェースを通じて前記指定装置と通信するための接続情報を、前記指定装置から受信する受信処理と、前記受信処理で受信した前記接続情報を前記メモリに記憶させる第１記憶処理と、指定データを指定するユーザ操作を、前記入力インタフェースを通じて受け付ける第１受付処理と、前記第１受付処理で前記指定データが指定されたことに応じて、前記メモリに前記接続情報が記憶されているか否かを判断する第１判断処理と、記憶されていないと前記第１判断処理で判断したことに応じて、前記指定装置に出力動作を実行させる指示に対応する指示操作を、前記入力インタフェースを通じて受け付けない受付規制処理とを前記携帯端末に実行させる。前記出力動作は、前記指定データを出力する動作である。該プログラムは、記憶されていると前記第１判断処理で判断したことに応じて、前記入力インタフェースを通じて前記指示操作を受け付ける第２受付処理と、前記第２受付処理で前記指示操作を受け付けたことに応じて、前記メモリに記憶された前記接続情報を用いて、前記第２通信インタフェースを通じて前記指定装置に出力指示情報を送信する第１出力指示処理とを前記携帯端末に実行させる。前記出力指示情報は、前記指定データに対する前記出力動作の実行を指示する情報である。
【０００７】
本明細書に記載の携帯端末は、近距離無線通信が可能な第１通信インタフェースと、
前記第１通信インタフェースより通信範囲の広い無線通信が可能な第２通信インタフェースと、メモリと、ユーザによる操作を受け付ける入力インタフェースと、制御部とを備える。前記制御部は、前記第１通信インタフェースと近距離無線接続された画像出力装置を、指定装置として特定する特定処理と、前記第２通信インタフェースを通じて前記指定装置と通信するための接続情報を、前記指定装置から受信する受信処理と、前記受信処理で受信した前記接続情報を前記メモリに記憶させる第１記憶処理と、指定データを指定するユーザ操作を、前記入力インタフェースを通じて受け付ける第１受付処理と、前記第１受付処理で前記指定データが指定されたことに応じて、前記メモリに前記接続情報が記憶されているか否かを判断する第１判断処理と、記憶されていないと前記第１判断処理で判断したことに応じて、前記指定装置に出力動作を実行させる指示に対応する指示操作を、前記入力インタフェースを通じて受け付けない受付規制処理とを実行する。前記出力動作は、前記指定データを出力する動作である。前記制御部は、記憶されていると前記第１判断処理で判断したことに応じて、前記入力インタフェースを通じて前記指示操作を受け付ける第２受付処理と、前記第２受付処理で前記指示操作を受け付けたことに応じて、前記メモリに記憶された前記接続情報を用いて、前記第２通信インタフェースを通じて前記指定装置に出力指示情報を送信する第１出力指示処理とを実行する。前記出力指示情報は、前記指定データに対する前記出力動作の実行を指示する情報である。
【０００８】
上記構成によれば、携帯端末と画像出力装置とを近接無線接続させることによって、当該画像出力装置の接続情報がメモリに記憶される。そして、出力動作の実行がユーザによって指示されたことに応じて、当該接続情報を用いて携帯端末から画像出力装置に出力指示情報が送信される。すなわち、携帯端末のユーザは、出力動作を実行させたい画像出力装置に携帯端末を１回かざせば、当該画像出力装置から離れた場所からでも、出力動作の実行を繰り返し指示することができる。
【図面の簡単な説明】
【０００９】
【図１】図１は、実施形態に係るシステム１００の概略構成図である。
【図２】図２は、（Ａ）が複合機１０のブロック図であり、（Ｂ）が携帯端末５０のブロック図である。
【図３】図３は、データ記憶領域６２Ｂに記憶される情報の例であって、（Ａ）は指定装置情報を、（Ｂ）は第１条件情報を、（Ｃ）は第２条件情報を示す。
【図４】図４（Ａ）はメイン処理のフローチャートを、図４（Ｂ）はデバイス選択処理のフローチャートを示す。
【図５】図５は、装置切替処理のフローチャートである。
【図６】図６は、プリント指示処理のフローチャートである。
【図７】図７は、ディスプレイ５３の表示例であって、（Ａ）はメイン画面を、（Ｂ）はデバイス選択画面を示す。
【図８】図８は、ディスプレイ５３の表示例であって、（Ａ）は切替確認画面を、（Ｂ）はデータ選択画面を示す。
【図９】図９は、ディスプレイ５３の表示例であって、（Ａ）は有効な［プリント］アイコン１５３を含むプレビュー画面を、（Ｂ）は無効な［プリント］アイコン１５３を含むプレビュー画面を示す。
【図１０】図１０は、ディスプレイ５３の表示例であって、（Ａ）は第２条件情報を指定する設定画面を、（Ｂ）は第１条件情報を指定する設定画面を示す。
【発明を実施するための形態】
【００１０】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。例えば、後述する各処理の実行順序は、本発明の要旨を変更しない範囲で、適宜変更することができる。
【００１１】
図１は、本実施形態に係るシステム１００の概略図である。図１に示されるシステム１００は、複合機１０Ａ、１０Ｂ（以下、これらを総称して、「複合機１０」と表記することがある。）と、携帯端末５０とで構成されている。複合機１０及び携帯端末５０は、通信ネットワーク１０１を通じて通信可能に構成されている。通信ネットワーク１０１は、例えば、有線ＬＡＮ、無線ＬＡＮ、或いはこれらの組み合わせであってもよい。
【００１２】
複合機１０は、図２（Ａ）に示されるように、プリンタ１１と、スキャナ１２と、ＦＡＸ部１３と、ディスプレイ２３と、入力Ｉ／Ｆ２４と、ＮＦＣ通信Ｉ／Ｆ２５と、Ｗｉ−Ｆｉ通信Ｉ／Ｆ２６と、ＣＰＵ３１と、メモリ３２と、通信バス３３とを主に備える。複合機１０を構成する各構成要素は、通信バス３３を通じて相互に接続されている。複合機１０は、画像処理装置或いは画像出力装置の一例である。
【００１３】
プリンタ１１は、画像データで示される画像をシートに記録するプリント動作を実行する。プリンタ１１の記録方式としては、インクジェット方式や電子写真方式などを採用することができる。スキャナ１２は、原稿に記録されている画像を読み取って画像データを生成するスキャン動作を実行する。ＦＡＸ部１３は、ＦＡＸプロトコルに準拠した方式で画像データを送受信するＦＡＸ送信動作及びＦＡＸ受信動作を実行する。プリント動作及びＦＡＸ送信動作は、出力動作の一例である。また、複合機１０は、複数の動作を組み合わせた複合動作を実行可能であってもよい。例えば、スキャン動作で生成した画像データをプリント動作でシートに記録するコピー動作は、複合動作の一例である。
【００１４】
複合機１０Ａ、１０Ｂが実行可能な動作は異なっていてもよい。本実施形態に係る複合機１０Ａは、プリント動作及びＦＡＸ動作を実行可能である。一方、本実施形態に係る複合機１０Ｂは、プリント動作、スキャン動作、及びコピー動作を実行可能である。また、画像処理装置及び画像出力装置は、複数の動作を実行可能なものに限定されず、単一の動作のみを実行可能であってもよい。
【００１５】
ディスプレイ２３は、液晶ディスプレイ、有機ＥＬディスプレイ等であり、各種情報を表示する表示面を備える。
【００１６】
入力Ｉ／Ｆ２４は、ユーザによる入力操作を受け付けるユーザインタフェースである。具体的には、入力Ｉ／Ｆ２４はボタンを有しており、押下されたボタンに対応づけられた各種の操作信号をＣＰＵ３１へ出力する。さらに、入力Ｉ／Ｆ２４は、ディスプレイ２３の表示面に重畳された膜状のタッチセンサを有していてもよい。ディスプレイ２３の表示面に表示されたオブジェクトを指定する操作、文字列或いは数字列を入力する操作は、ユーザ操作の一例である。「オブジェクト」とは、例えば、ディスプレイ２３に表示された文字列、アイコン、ボタン、リンク等である。
【００１７】
タッチセンサとして実現される入力Ｉ／Ｆ２４は、ユーザがタッチした表示面上の位置を示す位置情報を出力する。なお、本明細書中における「タッチ」とは、入力媒体を表示面に接触させる操作全般を含む。また、入力媒体が表示面に触れていなくても、表示面との間の距離がごく僅かな位置まで入力媒体を近接させる「ホバー」或いは「フローティングタッチ」を、前述の「タッチ」の概念に含めてもよい。さらに入力媒体とは、ユーザの指であってもよいし、タッチペン等であってもよい。ディスプレイ２３に表示されたアイコンの位置のタップするユーザ操作は、当該アイコンを指定する指定操作の一例である。
【００１８】
ＮＦＣ通信Ｉ／Ｆ２５は、外部装置との間で無線信号を送受信することが可能な第１通信インタフェースの一例である。すなわち、複合機１０は、ＮＦＣ通信Ｉ／Ｆ２５を通じて携帯端末５０に各種情報を出力し、ＮＦＣ通信Ｉ／Ｆ２５を通じて携帯端末５０から各種情報を受信する。なお、ＮＦＣ通信Ｉ／Ｆ２５を通じた無線通信（以下、「ＮＦＣ通信」と表記する。）の通信範囲は、Ｗｉ−Ｆｉ通信Ｉ／Ｆ２６を通じた無線通信（以下、「Ｗｉ−Ｆｉ通信」と表記する。）の通信範囲より狭い。また、ＮＦＣ通信の通信速度は、Ｗｉ−Ｆｉ通信の通信速度より遅い。
【００１９】
ＮＦＣ通信Ｉ／Ｆ２５は、ＮＦＣ規格に準拠した近距離無線方式で無線通信を行うためのインタフェースである。ＮＦＣ通信は、近距離無線通信の一例である。ＮＦＣ通信Ｉ／Ｆ２５には、外部装置との間で受け渡すための情報を記憶するメモリを有するＩＣチップが搭載されている。ＮＦＣ規格は、近距離無線通信プロトコルの一例である。また、近距離無線通信プロトコルの他の例として、ＴｒａｎｓｆｅｒＪｅｔ（TransferJet  コンソーシアムの登録商標）等を採用してもよい。
【００２０】
Ｗｉ−Ｆｉ通信Ｉ／Ｆ２６は、外部装置と通信可能な第２通信インタフェースの一例である。複合機１０は、Ｗｉ−Ｆｉ通信Ｉ／Ｆ２６を通じて携帯端末５０に各種情報を出力し、Ｗｉ−Ｆｉ通信Ｉ／Ｆ２６を通じて携帯端末５０から各種情報を受信する。なお、Ｗｉ−Ｆｉ通信の通信範囲は、ＮＦＣ通信の通信範囲より広い。また、Ｗｉ−Ｆｉ通信の通信速度は、ＮＦＣ通信の通信速度より速い。
【００２１】
Ｗｉ−Ｆｉ通信Ｉ／Ｆ２６は、通信ネットワーク１０１を通じて外部装置と無線通信する間接無線通信が可能である。より詳細には、Ｗｉ−Ｆｉ通信Ｉ／Ｆ２６は、アクセスポイント等の中継装置を経由して、外部装置と無線通信することができる。また、Ｗｉ−Ｆｉ通信Ｉ／Ｆ２６は、中継装置を経由せずに外部装置と無線通信する直接無線通信が可能であってもよい。Ｗｉ−Ｆｉ通信のうち中継装置を経由しない無線通信を、「Ｗｉ−Ｆｉダイレクト通信」と表記する。Ｗｉ−Ｆｉ通信Ｉ／Ｆ２６の具体的な通信手順は特に限定されないが、例えば、間接無線通信にＷｉ−Ｆｉを採用し、直接無線通信にＷｉ−Ｆｉダイレクトを採用することができる。
【００２２】
ＣＰＵ３１は、複合機１０の全体動作を制御するものである。ＣＰＵ３１は、入力Ｉ／Ｆ２４から出力される各種情報、ＮＦＣ通信Ｉ／Ｆ２５及びＷｉ−Ｆｉ通信Ｉ／Ｆ２６を通じて外部装置から取得した各種情報等に基づいて、後述する各種プログラムをメモリ３２から取得して実行する。すなわち、ＣＰＵ３１及びメモリ３２は、制御部の一例を構成する。
【００２３】
メモリ３２は、プログラム記憶領域３２Ａと、データ記憶領域３２Ｂとを有する。プログラム記憶領域３２Ａには、ＯＳ３４と、装置プログラム３５とが格納される。なお、装置プログラム３５は、単一のプログラムであってもよいし、複数のプログラムの集合体であってもよい。データ記憶領域３２Ｂには、装置プログラム３５の実行に必要なデータ或いは情報が記憶される。メモリ３２は、例えば、ＲＡＭ、ＲＯＭ、ＥＥＰＲＯＭ、ＨＤＤ、複合機１０に着脱されるＵＳＢメモリ等の可搬記憶媒体、ＣＰＵ３１が備えるバッファ等、或いはそれらの組み合わせによって構成される。
【００２４】
メモリ３２は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。後述する携帯端末５０のメモリ６２についても同様である。
【００２５】
携帯端末５０は、図２（Ｂ）に示されるように、ディスプレイ５３と、入力Ｉ／Ｆ５４と、ＮＦＣ通信Ｉ／Ｆ５５と、Ｗｉ−Ｆｉ通信Ｉ／Ｆ５６と、ＣＰＵ６１と、メモリ６２と、通信バス６３とを主に備える。携帯端末５０に含まれるディスプレイ５３、入力Ｉ／Ｆ５４、ＮＦＣ通信Ｉ／Ｆ５５、Ｗｉ−Ｆｉ通信Ｉ／Ｆ５６、ＣＰＵ６１、メモリ６２、及び通信バス６３は、複合機１０に含まれるディスプレイ２３、入力Ｉ／Ｆ２４、ＮＦＣ通信Ｉ／Ｆ２５、Ｗｉ−Ｆｉ通信Ｉ／Ｆ２６、ＣＰＵ３１、メモリ３２、及び通信バス３３と同様の構成であるので、説明は省略する。ＣＰＵ６１及びメモリ６２は、制御部の一例である。
【００２６】
携帯端末５０は、例えば、携帯電話、スマートフォン、或いはタブレット端末等である。より詳細には、携帯端末５０のディスプレイ５３は、表示画面のサイズが１２インチ以下、より好ましくは８インチ以下であるのが望ましい。また、携帯端末５０の入力Ｉ／Ｆ５４は、ディスプレイ５３の表示画面に重ねられたタッチセンサであるのが望ましい。
【００２７】
メモリ６２のプログラム記憶領域６２Ａは、ＯＳ６４と、端末プログラム６５とを記憶している。ＯＳ６４は、例えば、Ａｎｄｒｏｉｄ（Google inc.の登録商標）  ＯＳ、ｉＯＳ（Cisco Systems,Inc.の登録商標）、Ｗｉｎｄｏｗｓ  Ｐｈｏｎｅ（Microsoft Corporationの登録商標）  Ｏｐｅｒａｔｉｎｇ  Ｓｙｓｔｅｍ等であってもよい。
【００２８】
端末プログラム６５は、指定データに対する指定動作を指定装置に実行させるプログラムである。指定データは、ユーザによって指定された画像データを指す。指定動作は、ユーザによって指定された動作を指す。指定装置は、ユーザによって指定された複合機１０を指す。端末プログラム６５は、指定データ、指定動作、及び指定装置を指定するユーザ操作を受け付けることができる。以下、指定データを識別するデータ識別情報を「指定データＩＤ」と表記し、指定動作を識別する動作識別情報を「指定動作ＩＤ」と表記し、指定装置を識別する装置識別情報を「指定装置ＩＤ」と表記することがある。
【００２９】
データ記憶領域６２Ｂは、例えば図３（Ａ）に示されるように、指定装置情報を記憶することができる。端末プログラム６５のインストール時において、データ記憶領域６２Ｂに指定装置情報は記憶されていない。そして、端末プログラム６５は、後述するステップＳ２４、Ｓ３５で複合機１０から受信した装置情報を、指定装置情報としてデータ記憶領域６２Ｂに記憶させる。指定装置情報は、指定装置から受信した装置情報である。本実施形態に係る指定装置情報は、装置ＩＤと、接続情報と、能力情報とを含む。
【００３０】
装置ＩＤは、指定装置を識別する装置識別情報である。本実施形態において、複合機１０Ａは装置ＩＤ“ＭＦＰ−Ａ”で識別され、複合機１０Ｂは装置ＩＤ“ＭＦＰ−Ｂ”で識別される。接続情報は、Ｗｉ−Ｆｉ通信Ｉ／Ｆ５６を通じて指定装置と通信するための情報である。本実施形態では、ＩＰアドレスを接続情報の一例として説明するが、接続情報の具体例はこれに限定されず、サブネットマスク、ＭＡＣアドレス、ＳＳＩＤ、或いはこれらの組み合わせであってもよい。
【００３１】
能力情報は、複合機１０の能力を示す情報である。より詳細には、能力情報は、プリント動作を実行させる際に指定可能な実行条件の一覧を示す情報である。能力情報は、例えば図３（Ａ）に示されるように、給紙トレイ情報と、排紙トレイ情報と、色情報とを含む。給紙トレイ情報は、プリント動作で画像を記録するシートの給紙元のトレイを特定するための情報である。排紙トレイ情報は、プリント動作で画像を記録したシートの排紙先のトレイを特定するための情報である。色情報は、プリント動作に用いる色（例えば、“モノクロ”、“カラー”）を示すための情報である。
【００３２】
図３（Ａ）に示される能力情報は、複合機１０Ａに実行させるプリント動作の実行条件として、シートの給紙元に“トレイ１”、“トレイ２”の一方を指定可能であり、シートの排紙先に“トレイ１”のみを指定可能であり、プリント動作に用いる色に“モノクロ”、“カラー”の一方を指定可能であることを示す。すなわち、複合機１０Ａのプリンタ１１は、２つの給紙トレイと、１つの排紙トレイとを備えるカラープリンタである。複合機１０Ｂの能力情報の図示は省略するが、複合機１０Ａと同一であってもよいし、異なっていてもよい。
【００３３】
給紙トレイ情報、排紙トレイ情報、及び色情報は、実行条件に含まれる項目の一例である。但し、実行条件に含まれる項目の具体例はこれらに限定されない。また、スキャン動作に対応する実行条件は、例えば、読取解像度を示す解像度情報、読取色を示す色情報、生成した画像データの形式（例えば、“ＪＰＥＧ”、“ＴＩＦＦ”等）を示す形式情報等の項目を含んでもよい。ＦＡＸ送信動作に対応する実行条件は、例えば、ＦＡＸ送信する画像データの取得元（例えば、“スキャナ”、“ストレージ”等）を示す取得元情報、ＦＡＸ送信先の装置を識別する送信先情報（例えば、電話番号）等の項目を含んでもよい。
【００３４】
また、データ記憶領域６２Ｂは、例えば図３（Ｂ）に示されるように、第１条件情報を記憶することができる。第１条件情報は、指定装置に実行させるプリント動作の実行条件を示すための情報である。第１条件情報は、例えば、端末プログラム６５のインストール時にはデータ記憶領域６２Ｂに記憶されず、指定装置情報が記憶されている時のステップＳ４７で当該指定装置情報に対応付けてデータ記憶領域６２Ｂに記憶され、ステップＳ２４、Ｓ３５で初期化される。
【００３５】
さらに、データ記憶領域６２Ｂは、例えば図３（Ｃ）に示されるように、第２条件情報を記憶することができる。第２条件情報は、ＮＦＣ通信Ｉ／Ｆ５５を通じて特定された装置に実行させるプリント動作の実行条件を示すための情報である。第２条件情報は、例えば、端末プログラム６５のインストール時にデータ記憶領域６２Ｂに記憶され、指定装置情報が記憶されていない時のステップＳ４７で変更が可能である。
【００３６】
さらに、データ記憶領域６２Ｂには、データフォルダが設けられていてもよい。データフォルダには、例えば、写真データ、文書データ、プレゼンテーションデータ、表計算データ等が格納されていてもよい。データフォルダに記憶されている各種データは、指定データとなり得るデータである。
【００３７】
なお、本明細書において、ＮＦＣ規格に準拠した手順で通信可能な機器を「ＮＦＣ機器」と表記し、ＮＦＣ規格に準拠した手順でする通信を「ＮＦＣ通信」と表記する。すなわち、複合機１０及び携帯端末５０は、ＮＦＣ機器の一例である。複合機１０及び携帯端末５０は、Ｐ２Ｐ（Peer to Peerの略）モード、Ｒｅａｄｅｒモード、Ｗｒｉｔｅｒモード、及びＣＥ（Card Emulationの略）モードのいずれかで動作する。また、本明細書では、Ｒｅａｄｅｒモード及びＷｒｉｔｅｒモードを合わせて、「Ｒ／Ｗモード」と記載することがある。
【００３８】
Ｐ２Ｐモードは、一対のＮＦＣ機器の間で双方向通信を実行するためのモードである。  Ｒ／Ｗモード及びＣＥモードは、一対のＮＦＣ機器の間で単方向通信を実行するためのモードである。Ｒｅａｄｅｒモードは、ＣＥモードで動作するＮＦＣ機器から情報等を読み出すためのモードである。Ｗｒｉｔｅｒモードは、ＣＥモードで動作するＮＦＣ機器に各種情報を書き込むためのモードである。
【００３９】
本実施形態では、複合機１０がＣＥモードで動作し、携帯端末５０がＲ／Ｗモードで動作する例を中心に説明する。すなわち、Ｒ／Ｗモードで動作する携帯端末５０は、ＣＥモードで動作する複合機１０から情報等を読み出し、且つ複合機１０に情報等を書き込むことができる。しかしながら、本発明はこれに限定されず、例えば、複合機１０がＲ／Ｗモードで動作し、携帯端末５０がＣＥモードで動作してもよいし、複合機１０及び携帯端末５０の両方がＰ２Ｐモードで動作してもよい。
【００４０】
本実施形態における携帯端末５０のＮＦＣ通信Ｉ／Ｆ５５は、Ｐｏｌｌ動作を実行する。Ｐｏｌｌ動作とは、所定の時間間隔でポーリング信号を繰り返し出力し、当該ポーリング信号の応答であるレスポンス信号を監視する動作である。一方、本実施形態における複合機１０のＮＦＣ通信Ｉ／Ｆ２５は、Ｌｉｓｔｅｎ動作を実行する。Ｌｉｓｔｅｎ動作とは、ポーリング信号を監視し、ポーリング信号を受信したことを条件としてレスポンス信号を出力する動作である。
【００４１】
複合機１０と携帯端末５０とが接近したことによって、携帯端末５０のＮＦＣ通信Ｉ／Ｆ５５が出力したポーリング信号を複合機１０のＮＦＣ通信Ｉ／Ｆ２５が受信し、複合機１０のＮＦＣ通信Ｉ／Ｆ２５が出力したレスポンス信号を携帯端末５０のＮＦＣ通信Ｉ／Ｆ５５が受信する。これにより、ＮＦＣ規格に従った所定の手順により、複合機１０と携帯端末５０との間にＮＦＣ方式の通信リンク（以下、「ＮＦＣリンク」と表記する）が確立される。以降、複合機１０と携帯端末５０とは、このＮＦＣリンクを通じて情報等を送受信する。
【００４２】
［システム１００の動作］
図４〜図６を参照して、本実施形態に係るシステム１００の動作を説明する。なお、図４に示される処理の開始時点において、複合機１０のＮＦＣ通信Ｉ／Ｆ２５はＬｉｓｔｅｎ動作を既に実行しており、携帯端末５０のＮＦＣ通信Ｉ／Ｆ５５はＰｏｌｌ動作を実行しているものとする。また、図４に示される処理の開始時点において、携帯端末５０のデータ記憶領域６２Ｂには、指定装置情報が記憶されていないものとする。
【００４３】
本明細書のフローチャートは、基本的に、プログラムに記述された命令に従ったＣＰＵ３１、６１の処理を示す。すなわち、以下の説明における「判断」、「抽出」、「選択」、「制御」等の処理は、ＣＰＵ３１、６１の処理を表している。ＣＰＵ６１による処理は、ＯＳ６４を介したハードウェア制御も含む。また、本明細書中の「データ」とは、コンピュータに読取可能なビット列で表される。そして、実質的な意味内容が同じでフォーマットが異なるデータは、同一のデータとして扱われるものとする。本明細書中の「情報」についても同様である。
【００４４】
［メイン処理］
携帯端末５０の端末プログラム６５は、ユーザによって起動されたことに応じて、図４（Ａ）に示されるメイン処理を実行する。まず、端末プログラム６５は、図７（Ａ）に示されるメイン画面をディスプレイ５３に表示させる（Ｓ１１）。メイン画面は、動作アイコン１１１、１１２、１１３、１１４と、ステータスアイコン１１５と、切替アイコン１１６とを含む。そして、端末プログラム６５は、メイン画面に対するユーザ操作を入力Ｉ／Ｆ５４を通じて受け付ける（Ｓ１２）。
【００４５】
動作アイコン１１１はプリント動作に対応し、動作アイコン１１２はスキャン動作に対応し、動作アイコン１１３はコピー動作に対応し、動作アイコン１１４はＦＡＸ送信動作及びＦＡＸ受信動作に対応する。ステータスアイコン１１５は、指定装置の状態を示すステータス画面を表示させる指示に対応する。ステータス画面の詳細については、説明を省略する。切替アイコン１１６は、指定装置を切り替える指示に対応する。また、図７（Ａ）に示される切替アイコン１１６には、現時点で指定装置が指定されていないことを示す“未選択”の文字列が記述されている。
【００４６】
端末プログラム６５は、メイン画面に対するユーザ操作を入力Ｉ／Ｆ５４を通じて受け付けるまで、メイン画面を表示させたまま待機する。端末プログラム６５は、例えば、切替アイコン１１６の指定を入力Ｉ／Ｆ５４を通じて受け付けたことに応じて（Ｓ１２：切替アイコン）、デバイス選択処理を実行する（Ｓ１３）。図４（Ｂ）を参照して、デバイス選択処理の詳細を説明する。
【００４７】
［デバイス選択処理］
まず、端末プログラム６５は、例えば、ＳＮＭＰ（Simple Network Management Protocolの略）を用いて、Ｗｉ−Ｆｉ通信Ｉ／Ｆ５６を通じて無線通信が可能な複数の複合機１０を検索する（Ｓ２１）。具体的には、端末プログラム６５は、Ｗｉ−Ｆｉ通信Ｉ／Ｆ５６を通じて通信ネットワーク１０１に送信要求情報をブロードキャストする。次に、端末プログラム６５は、送信要求情報の応答として複合機１０Ａ、１０Ｂが送信した装置情報を、Ｗｉ−Ｆｉ通信Ｉ／Ｆ５６を通じて受信する。すなわち、端末プログラム６５は、装置情報の送信元の複合機１０Ａ、１０Ｂを、無線通信が可能な複合機１０と特定する。なお、無線通信が可能な複合機１０を検索する方法は、周知の他の方法であってもよい。
【００４８】
次に、端末プログラム６５は、図７（Ｂ）に示されるデバイス選択画面をディスプレイ５３に表示させる（Ｓ２２）。デバイス選択画面は、「アイコンをタップするか、装置にかざして下さい。」とのメッセージと、デバイスアイコン１２１、１２２を含む。デバイスアイコン１２１、１２２は、ステップＳ２１で特定した複合機１０Ａ、１０Ｂに対応する。また、デバイスアイコン１２１、１２２には、対応する複合機１０Ａ、１０Ｂの装置ＩＤが記述されている。次に、端末プログラム６５は、デバイス選択画面に対するユーザ操作を受け付けるか、ＮＦＣ通信Ｉ／Ｆ５５を通じてレスポンス信号を受信するまで、デバイス選択画面を表示させたまま待機する。
【００４９】
なお図示は省略するが、デバイス選択画面は、デバイスアイコン１２１、１２２を一覧表示する第１画面と、出力動作を実行させたい装置に携帯端末５０をかざすことを促す第２画面とに別れていてもよい。そして、デバイス選択画面は、第１画面及び第２画面の一方から他方に切り替える指示に対応するアイコンを含んでもよい。
【００５０】
次に、端末プログラム６５は、例えばデバイスアイコン１２２の指定を入力Ｉ／Ｆ５４を通じて受け付けたことに応じて（Ｓ２３：デバイスアイコン）、デバイスアイコン１２２に対応する複合機１０Ｂから受信した装置情報を、指定装置情報としてデータ記憶領域６２Ｂに記憶させる（Ｓ２４）。なお、データ記憶領域６２Ｂに既に指定装置情報が記憶されている場合、端末プログラム６５は、当該指定装置情報を新たな指定装置情報で上書きする。デバイスアイコン１２２を指定するユーザ操作は、複合機１０Ｂを指定装置として指定する指定操作の一例である。
【００５１】
一方、端末プログラム６５は、例えば、ユーザが複合機１０Ａに携帯端末５０を近づけたことによって、Ｐｏｌｌ動作を実行中のＮＦＣ通信Ｉ／Ｆ５５を通じて複合機１０Ａからレスポンス信号を受信する（Ｓ２３：装置にかざす）。そして、端末プログラム６５は、レスポンス信号の送信元である複合機１０Ａとの間にＮＦＣリンクを確立する。そして、端末プログラム６５は、ＮＦＣリンクが確立された複合機１０Ａを、指定装置として特定する。この処理は、特定処理の一例である。複合機１０Ａからレスポンス信号を受信すること、或いは複合機１０Ａとの間にＮＦＣリンクを確立することは、ＮＦＣ通信Ｉ／Ｆ５５と複合機１０Ａとが近距離無線接続されたことの一例である。また、携帯端末５０を複合機１０Ａにかざすユーザの操作は、複合機１０Ａを指定装置に指定する指定操作の一例である。
【００５２】
［装置切替処理］
次に、端末プログラム６５は、ＮＦＣリンクが確立された複合機１０Ａを指定装置として特定したことに応じて（Ｓ２３：装置にかざす）、装置切替処理を実行する（Ｓ２５）。装置切替処理は、近距離無線接続された複合機１０Ａから装置情報を受信し、受信した装置情報を指定装置情報としてデータ記憶領域６２Ｂに記憶させる処理である。図５を参照して、装置切替処理の詳細を説明する。
【００５３】
まず、端末プログラム６５は、複合機１０Ａから装置情報を受信する（Ｓ３１）。一例として、端末プログラム６５は、ＮＦＣリンクが確立されたＮＦＣ通信Ｉ／Ｆ５５を通じて、複合機１０Ａから装置情報を受信してもよい。他の例として、端末プログラム６５は、ＮＦＣリンクが確立されたＮＦＣ通信Ｉ／Ｆ５５を通じて、Ｗｉ−Ｆｉダイレクト接続するために必要な接続情報を複合機１０Ａから受信してもよい。そして、端末プログラム６５は、受信した接続情報を用いて複合機１０ＡとＷｉ−Ｆｉダイレクト接続し、Ｗｉ−Ｆｉダイレクト接続されたＷｉ−Ｆｉ通信Ｉ／Ｆ５６を通じて複合機１０Ａから装置情報を受信してもよい。ステップＳ３１の処理は、受信処理の一例である。
【００５４】
次に、端末プログラム６５は、複合機１０Ａと携帯端末５０との間で間接無線通信が可能か否かを判断する（Ｓ３２）。換言すれば、端末プログラム６５は、複合機１０Ａと携帯端末５０とが同一の通信ネットワーク１０１に接続されているか否かを判断する。端末プログラム６５は、例えば、ステップＳ３１で受信した装置情報に含まれるＩＰアドレスと、Ｗｉ−Ｆｉ通信Ｉ／Ｆ５６に設定されたＩＰアドレスとにおいて、ネットワークアドレスが共通しているか否かを判断すればよい。ステップＳ３２の処理は、第２判断処理の一例である。
【００５５】
次に、端末プログラム６５は、複合機１０Ａと携帯端末５０とが同一の通信ネットワーク１０１に接続されていないと判断したことに応じて（Ｓ３２：Ｎｏ）、不図示のエラー画面をディスプレイ５３に表示させる（Ｓ３３）。エラー画面は、例えば、「複合機１０Ａを指定装置に指定することはできません。」等のメッセージを含む。
【００５６】
一方、端末プログラム６５は、複合機１０Ａと携帯端末５０とが同一の通信ネットワーク１０１に接続されていると判断したことに応じて（Ｓ３２：Ｙｅｓ）。指定装置情報がデータ記憶領域６２Ｂに既に記憶されているか否かを判断する（Ｓ３４）。そして、端末プログラム６５は、指定装置情報がデータ記憶領域６２Ｂに未だ記憶されていないと判断したことに応じて（Ｓ３４：Ｎｏ）、ステップＳ３１で受信した装置情報を、指定装置情報としてデータ記憶領域６２Ｂに記憶させる（Ｓ３５）。ステップＳ３４の処理は第３判断処理の一例であり、ステップＳ３５の処理は第１記憶処理の一例である。
【００５７】
一方、端末プログラム６５は、指定装置情報がデータ記憶領域６２Ｂに既に記憶されていると判断したことに応じて（Ｓ３４：Ｙｅｓ）、図８（Ａ）に示される切替確認画面をディスプレイ５３に表示させる（Ｓ３６）。切替確認画面は、「指定装置を切替えますか？／現装置：ＭＦＰ−Ｂ／新装置：ＭＦＰ−Ａ」とのメッセージ、［ＹＥＳ］アイコン１３１と、［ＮＯ］アイコン１３２とを含む。そして、端末プログラム６５は、切替確認画面に対するユーザ操作を入力Ｉ／Ｆ５４を通じて受け付ける（Ｓ３７）。
【００５８】
端末プログラム６５は、切替確認画面に対するユーザ操作を入力Ｉ／Ｆ５４を通じて受け付けるまで、切替確認画面を表示させたまま待機する。そして、端末プログラム６５は、［ＹＥＳ］アイコン１３１の指定を入力Ｉ／Ｆ５４を通じて受け付けたことに応じて（Ｓ３７：ＹＥＳアイコン）、データ記憶領域６２Ｂに既に記憶されている指定装置情報を、ステップＳ３１で受信した装置情報で上書きする（Ｓ３５）。一方、端末プログラム６５は、［ＮＯ］アイコン１３２の指定を入力Ｉ／Ｆ５４を通じて受け付けたことに応じて（Ｓ３７：ＮＯアイコン）、ステップＳ３５の処理を実行することなく、装置切替処理を終了する。［ＹＥＳ］アイコン１３１の指定は、指定装置情報の上書きを選択するユーザ操作の一例である。ステップＳ３７の処理は、第４受付処理の一例である。
【００５９】
図４（Ａ）に戻って、端末プログラム６５は、デバイス選択処理で更新された指定装置情報を用いて、ステップＳ１１以降の処理を実行する。すなわち、端末プログラム６５は、ステップＳ１３で携帯端末５０が複合機１０Ａにかざされた直後のステップＳ１１において、“ＭＦＰ−Ａ”と記述された切替アイコン１１６を含むメイン画面を、ディスプレイ５３に表示させればよい。また、端末プログラム６５は、当該メイン画面において、指定装置である複合機１０Ａが実行可能な動作に対応する動作アイコン１１１、１１４を表示し、複合機１０Ａが実行不能な動作に対応する動作アイコン１１２、１１３を非表示にしてもよい。
【００６０】
次に、端末プログラム６５は、メイン画面に含まれる動作アイコン１１１〜１１４の１つの指定を入力Ｉ／Ｆ５４を通じて受け付けたことに応じて（Ｓ１２：動作アイコン）、指定された動作アイコンに対応する動作ＩＤを指定動作ＩＤとしてデータ記憶領域６２Ｂに一時記憶させ、且つ指定された動作アイコンに対応する実行指示処理を実行する（Ｓ１４）。動作アイコンを指定するユーザ操作は、指定動作を指定するユーザ操作の一例である。以下、動作アイコン１１１に対応する実行指示処理の一例として、図６に示されるプリント指示処理を説明する。
【００６１】
［プリント指示処理］
まず、端末プログラム６５は、図８（Ｂ）に示されるデータ選択画面をディスプレイ５３に表示させる（Ｓ４１）。データ選択画面は、複数のデータアイコン１４１、１４２、１４３を含む。データアイコン１４１〜１４３は、例えば、データフォルダに格納された各種データ、或いはインターネット上の不図示のサーバに記憶された各種データに対応する。そして、端末プログラム６５は、データ選択画面に対するユーザ操作を入力Ｉ／Ｆ５４を通じて受け付ける（Ｓ４２）。
【００６２】
端末プログラム６５は、データ選択画面に対するユーザ操作を入力Ｉ／Ｆ５４を通じて受け付けるまで（Ｓ４２：Ｎｏ）、データ選択画面を表示させたまま待機する。そして、端末プログラム６５は、例えばデータアイコン１４１の指定を入力Ｉ／Ｆ５４を通じて受け付けたことに応じて（Ｓ４２：Ｙｅｓ）、データアイコン１４１に対応するデータ“写真．ＪＰＥＧ”を指定データに決定する。すなわち、端末プログラム６５は、指定されたデータアイコン１４１に対応するデータＩＤ“写真．ＪＰＥＧ”を、指定データＩＤとしてデータ記憶領域６２Ｂに一時記憶させる。データアイコン１４１を指定するユーザ操作は、指定データを指定するユーザ操作の一例である。ステップＳ４２の処理は、第１受付処理の一例である。
【００６３】
次に、端末プログラム６５は、指定装置情報がデータ記憶領域６２Ｂに記憶されているか否かを判断する（Ｓ４３）。そして、端末プログラム６５は、指定装置情報がデータ記憶領域６２Ｂに記憶されていると判断したことに応じて（Ｓ４３：Ｙｅｓ）、図９（Ａ）に示されるプレビュー画面をディスプレイ５３に表示させる（Ｓ４４）。一方、端末プログラム６５は、指定装置情報がデータ記憶領域６２Ｂに記憶されていないと判断したことに応じて（Ｓ４３：Ｎｏ）、図９（Ｂ）に示されるプレビュー画面をディスプレイ５３に表示させる（Ｓ４５）。ステップＳ４３の処理は第１判断処理の一例であり、ステップＳ４４の処理はプレビュー処理の一例であり、ステップＳ４５の処理は受付規制処理の一例である。
【００６４】
プレビュー画面は、メッセージと、プレビュー画像１５１と、［設定］アイコン１５２と、［プリント］アイコン１５３とを含む。プレビュー画像１５１は、指定データに対する指定動作の実行結果を示す画像である。すなわち、本実施形態に係るプレビュー画像１５１は、データ“写真．ＪＰＥＧ”で示される画像をシートに記録したイメージを示す。［設定］アイコン１５２は、条件情報を指定或いは変更する指示に対応する。［プリント］アイコン１５３は、指定装置にプリント動作を実行させる指示に対応する。
【００６５】
なお、図９（Ａ）に示されるプレビュー画面は、「アイコンをタップするか、装置にかざして下さい。」とのメッセージと、有効化された［プリント］アイコン１５３とを含む。一方、図９（Ｂ）に示されるプレビュー画面は、「装置にかざして下さい。」とのメッセージと、無効化された［プリント］アイコン１５３とを含む。有効化された［プリント］アイコン１５３とは、例えば、入力Ｉ／Ｆ５４を通じて指定されたことに応じて、対応付けられた処理が実行される状態を指す。一方、無効化された［プリント］アイコン１５３は、例えば、入力Ｉ／Ｆ５４を通じて指定されたとしても、対応付けられた処理が実行されない状態を指す。なお、図９（Ｂ）の例では、［プリント］アイコン１５３をグレーアウトしているが、［プリント］アイコン１５３を非表示にしてもよい。
【００６６】
次に、端末プログラム６５は、プレビュー画面に対するユーザ操作を入力Ｉ／Ｆ５４を通じて受け付けるか、ＮＦＣ通信Ｉ／Ｆ５５を通じてレスポンス信号を受信するまで、プレビュー選択画面を表示させたまま待機する。次に、端末プログラム６５は、［設定］アイコンの指定を入力Ｉ／Ｆ５４を通じて受け付けたことに応じて（Ｓ４６：設定アイコン）、図１０に示される設定画面をディスプレイ５３に表示させる。そして、端末プログラム６５は、設定画面に対するユーザ操作を、入力Ｉ／Ｆ５４を通じて受け付ける。
【００６７】
図１０（Ａ）は、指定装置情報がデータ記憶領域６２Ｂに記憶されていない場合の設定画面の一例であって、複数のラジオボタン１６１、１６２、１６３、１６４、１６５、１６６と、［決定］アイコン１６８とを含む。ラジオボタン１６１は給紙トレイ情報“トレイ１”に対応し、ラジオボタン１６２は給紙トレイ情報“トレイ２”に対応し、ラジオボタン１６３は排紙トレイ情報“トレイ１”に対応し、ラジオボタン１６４は排紙トレイ情報“トレイ２”に対応し、ラジオボタン１６５は色情報“モノクロ”に対応し、ラジオボタン１６６は色情報“カラー”に対応する。［決定］アイコン１６８は、条件情報を決定する指示に対応する。
【００６８】
端末プログラム６５は、［決定］アイコン１６８を指定するユーザ操作を入力Ｉ／Ｆ５４を通じて受け付けるまで、設定画面を表示させたまま待機する。また、端末プログラム６５は、図１０（Ａ）に示される［決定］アイコン１６８の指定を入力Ｉ／Ｆ５４を通じて受け付けたことに応じて、チェックされたラジオボタン１６１〜１６６に対応する実行条件を示す第２条件情報を、データ記憶領域６２Ｂに記憶させる（Ｓ４７）。すなわち、図１０（Ａ）の状態で［決定］アイコン１６８が指定された場合、図３（Ｃ）に示されるように、給紙トレイ情報“トレイ１”、排紙トレイ情報“トレイ１”、色情報“モノクロ”を含む第２条件情報がデータ記憶領域６２Ｂに記憶される。
【００６９】
一方、図１０（Ｂ）は、図３（Ａ）に示される指定装置情報がデータ記憶領域６２Ｂに記憶されている場合の設定画面の一例であって、ラジオボタン１６４が含まれていない点において図１０（Ａ）と相違し、その他の点において図１０（Ａ）と共通する。図１０（Ｂ）に示されるラジオボタン１６１、１６２、１６３、１６５、１６６は、指定装置情報に含まれる能力情報で示される実行条件に対応する。すなわち、端末プログラム６５は、図１０（Ｂ）に示される設定画面を通じて、指定装置の能力情報の範囲内で実行条件を指定するユーザ操作を受け付けることができる。この処理は、第３受付処理の一例である。
【００７０】
そして、端末プログラム６５は、図１０（Ｂ）に示される［決定］アイコン１６８の指定を入力Ｉ／Ｆ５４を通じて受け付けたことに応じて、チェックされたラジオボタン１６１〜１６６に対応する実行条件を示す第１条件情報を、データ記憶領域６２Ｂに記憶させる（Ｓ４７）。ステップＳ４７の処理は、第３記憶処理の一例である。すなわち、図１０（Ｂ）の状態で［決定］アイコン１６８が指定された場合、図３（Ｂ）に示されるように、給紙トレイ情報“トレイ２”、排紙トレイ情報“トレイ１”、色情報“カラー”を含む第１条件情報がデータ記憶領域６２Ｂに記憶される。
【００７１】
次に、端末プログラム６５は、ステップＳ４３以降の処理を再び実行する。そして、端末プログラム６５は、有効化された［プリント］アイコン１５３の指定を入力Ｉ／Ｆ５４を通じて受け付けたことに応じて（Ｓ４６：プリントアイコン）、指定装置である複合機１０ＡにＷｉ−Ｆｉ通信Ｉ／Ｆ５６を通じてプリント指示情報を送信する（Ｓ４８）。一方、端末プログラム６５は、無効化された［プリント］アイコン１５３の指定を入力Ｉ／Ｆ５４を通じて受け付けたとしても、ステップＳ４８の処理を実行しない。［プリント］アイコン１５３を指定するユーザ操作は、指示操作の一例である。［プリント］アイコン１５３の指定を受け付ける処理は第２受付処理の一例であり、ステップＳ４８の処理は第１出力指示処理の一例である。
【００７２】
端末プログラム６５は、例えばステップＳ４８において、指定装置情報に含まれる接続情報を用いた間接無線通信或いは直接無線通信によって、出力指示情報の一例であるプリント指示情報を、指定装置である複合機１０Ａに送信する。ステップＳ４８で送信されるプリント指示情報は、指定データに対するプリント動作を、第１条件情報で示される実行条件に従って実行させるための情報である。プリント指示情報は、例えば、ステップＳ４２で指定された指定データと、データ記憶領域６２Ｂに記憶された第１条件情報とを含む。また、端末プログラム６５は、第１条件情報がデータ記憶領域６２Ｂに記憶されていない場合に、データ記憶領域６２Ｂに記憶された第２条件情報をプリント指示情報に含めてもよい。
【００７３】
一方、端末プログラム６５は、例えば、ユーザが複合機１０Ａに携帯端末５０を近づけたことによって、Ｐｏｌｌ動作を実行中のＮＦＣ通信Ｉ／Ｆ５５を通じて複合機１０Ａからレスポンス信号を受信する（Ｓ４６：装置にかざす）。そして、端末プログラム６５は、レスポンス信号の送信元である複合機１０Ａとの間にＮＦＣリンクを確立する。プレビュー画面の表示中において、換言すれば、指定データが指定された状態において、携帯端末５０を複合機１０Ａにかざすユーザの操作は、複合機１０Ａを指定装置に指定する指定操作、及び複合機１０Ａにプリント動作の実行を指示する指示操作の一例である。
【００７４】
次に、端末プログラム６５は、複合機１０ＡとＷｉ−Ｆｉダイレクト接続するために必要な接続情報を、確立したＮＦＣリンクを通じて複合機１０Ａから受信する。次に、端末プログラム６５は、受信した接続情報を用いて複合機１０ＡとＷｉ−Ｆｉダイレクト接続する（Ｓ４９）。そして、端末プログラム６５は、Ｗｉ−Ｆｉダイレクト接続されたＷｉ−Ｆｉ通信Ｉ／Ｆ５６を通じて複合機１０Ａにプリント指示情報を送信する（Ｓ５０）。ステップＳ５０の処理は、第２出力指示処理の一例である。
【００７５】
ステップＳ５０で送信されるプリント指示情報は、指定データに対するプリント動作を、第２条件情報で示される実行条件に従って実行させるための情報である。プリント指示情報は、例えば、ステップＳ４２で指定された指定データと、データ記憶領域６２Ｂに記憶された第２条件情報とを含む。また、端末プログラム６５は、ステップＳ４９において、複合機１０Ａと間接無線通信するために必要な接続情報を、確立したＮＦＣリンクを通じて複合機１０Ａから受信してもよい。そして、端末プログラム６５は、間接無線通信によって複合機１０Ａにプリント指示情報を送信してもよい。
【００７６】
さらに、端末プログラム６５は、ＮＦＣリンクが確立された複合機１０Ａを、指定装置として特定する。この処理は、特定処理の一例である。そして、端末プログラム６５は、装置切替処理を実行する（Ｓ５１）。装置切替処理の詳細は既に説明したので、再度の説明は省略する。すなわち、ＮＦＣリンクが確立された複合機１０Ａの装置情報が、指定装置情報としてデータ記憶領域６２Ｂに記憶される。
【００７７】
一方図示は省略するが、複合機１０Ａの装置プログラム３５は、Ｗｉ−Ｆｉ通信Ｉ／Ｆ２６を通じて携帯端末５０からプリント指示情報を受信する。そして、装置プログラム３５は、受信したプリント指示情報に従ったプリント動作をプリンタ１１に実行させる。すなわち、プリンタ１１は、プリント指示情報に含まれる条件情報で示される実行条件に従って、プリント指示情報に含まれる指定データで示される画像をシートに記録する。
【００７８】
［実施形態の作用効果］
上記の実施形態によれば、携帯端末５０と複合機１０Ａとが近接無線接続されることによって、換言すれば、複合機１０Ａに携帯端末５０がかざされたことによって、当該複合機１０Ａの装置情報が指定装置情報としてデータ記憶領域６２Ｂに記憶される。また、［プリント］アイコン１５３は、指定装置情報がデータ記憶領域６２Ｂに記憶されていない状態では無効化され、指定装置情報がデータ記憶領域６２Ｂに記憶されたことに応じて有効化される。そして、有効化された［プリント］アイコン１５３が指定されたことに応じて、間接無線通信によって複合機１０Ａにプリント指示情報が送信される。
【００７９】
より詳細には、アクセスポイント等を経由する間接無線通信は、例えば、複合機１０Ａと携帯端末５０とが同一のＬＡＮに接続されていれば、複合機１０Ａと携帯端末５０との距離に関係なく通信可能である。すなわち、携帯端末５０のユーザは、プリント動作を実行させたい複合機１０Ａに携帯端末５０を１回かざせば、その後は複合機１０Ａから離れた場所であっても、プリント動作の実行を複合機１０Ａに指示することができる。その結果、プリント動作の実行を繰り返し指示する度に複合機１０Ａの傍まで行く必要が無いので、ユーザの利便性が向上する。
【００８０】
また、上記の実施形態によれば、指定装置情報がデータ記憶領域６２Ｂに記憶されているか否かに応じて、［プリント］アイコン１５３の表示態様を異ならせる。これにより、指定装置が指定されているか否かを、プレビュー画面を通じてユーザに認識させることができる。また、プレビュー画面の表示中に携帯端末５０が複合機１０Ａにかざされたことによって、当該複合機１０Ａにプリント指示情報が送信される。すなわち、指定装置が指定されていない場合、或いは指定装置と異なる画像出力装置にプリント動作を実行させたい場合に、簡単な操作でプリント動作を実行させることができる。
【００８１】
また、上記の実施形態によれば、［プリント］アイコン１５３が指定されたことに応じて、指定装置情報に対応付けられた第１条件情報に従ったプリント動作を複合機１０Ａに実行させることができる。一方、携帯端末５０が複合機１０Ａにかざされたことによって、指定装置情報に対応付けられていない第２条件情報に従ったプリント動作を複合機１０Ａに実行させることができる。すなわち、適切な実行条件に従って複合機１０Ａにプリント動作を実行させることができる。
【００８２】
また、上記の実施形態によれば、図１０（Ｂ）に示される設定画面には、能力情報で示される実行条件に対応するラジオボタンのみが表示される。その結果、複合機１０Ａ装置の能力の範囲内で第１条件情報が生成されるので、適切な実行条件で複合機１０Ａにプリント動作を実行させることができる。一方、図１０（Ａ）に示される設定画面には、指定装置の能力に拘わらず、予め定められた実行条件に対応するラジオボタンが表示される。
【００８３】
また、上記の実施形態によれば、複合機１０Ａと携帯端末５０とが同一の通信ネットワーク１０１に接続されているか否かがステップＳ３５に先立って確認される。これにより、後に実行されるステップＳ４８において、複合機１０Ａから離れた場所からでもプリント指示情報を確実に送信することができる。また、指定装置情報がデータ記憶領域６２Ｂに既に記憶されている場合に、指定装置情報を上書きするか否かがユーザに問合せられる。その結果、指定装置情報がユーザの意図に反して上書きされてしまうことを抑制できる。
【００８４】
また、上記の実施形態の複合機１０及び携帯端末５０において、メモリ３２、６２のプログラム記憶領域３２Ａ、６２Ａに記憶された各種プログラムがＣＰＵ３１、６１によって実行されることによって、本発明の制御部が実行する各処理が実現される例を説明した。しかしながら、制御部の構成はこれに限定されず、その一部又は全部を集積回路等のハードウェアで実現してもよい。
【００８５】
さらに、本発明は、複合機１０及び携帯端末５０として実現できるだけでなく、複合機１０及び携帯端末５０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワーク１０１を通じて複合機１０及び携帯端末５０に接続可能なサーバに搭載されたメモリを含んでもよい。そして、サーバのメモリに記憶されたプログラムは、当該プログラムを示す情報或いは信号として、インターネット等の通信ネットワーク１０１を通じて配信されてもよい。
【符号の説明】
【００８６】
１０・・・複合機
１１・・・プリンタ
１２・・・スキャナ
１３・・・ＦＡＸ部
２５，５５・・・ＮＦＣ通信Ｉ／Ｆ
２６，５６・・・Ｗｉ−Ｆｉ通信Ｉ／Ｆ
３１，６１・・・ＣＰＵ
３２，６２・・・メモリ
３５・・・装置プログラム
５０・・・携帯端末
５３・・・ディスプレイ
５４・・・入力Ｉ／Ｆ
６５・・・端末プログラム
【図１】
2020074137.tif 000003
【図２】
2020074137.tif 000004
【図３】
2020074137.tif 000005
【図４】
2020074137.tif 000006
【図５】
2020074137.tif 000007
【図６】
2020074137.tif 000008
【図７】
2020074137.tif 000009
【図８】
2020074137.tif 000010
【図９】
2020074137.tif 000011
【図１０】
2020074137.tif 000012
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
近距離無線通信が可能な第１通信インタフェースと、前記第１通信インタフェースより通信範囲の広い無線通信が可能であり且つ中継装置を経由せずに外部装置と無線通信する直接無線通信が可能である第２通信インタフェースと、メモリと、ユーザによる操作を受け付ける入力インタフェースと、ディスプレイと、を備える携帯端末によって実行可能なプログラムであって、
前記第１通信インタフェースと近距離無線接続された画像出力装置を、指定装置として特定する特定処理と、
前記第２通信インタフェースを通じて前記指定装置と通信するための接続情報を、前記指定装置から受信する受信処理と、
前記受信処理で受信した前記接続情報を前記メモリに記憶させる第１記憶処理と、
指定データを指定する操作を、前記入力インタフェースを通じて受け付ける第１受付処理と、
前記メモリに前記接続情報が記憶されているか否かを判断する第１判断処理と、
記憶されていないと前記第１判断処理で判断したことに応じて、実行指示オブジェクトを無効化した実行指示画面を前記ディスプレイに表示させる受付規制処理と、
記憶されていると前記第１判断処理で判断したことに応じて、前記実行指示オブジェクトを有効化した前記実行指示画面を前記ディスプレイに表示させる表示処理と、
前記入力インタフェースを通じて、有効化された前記実行指示オブジェクトを指定する操作を、指示操作として受け付ける第２受付処理と、
前記第２受付処理で前記指示操作を受け付けたことに応じて、前記メモリに記憶された前記接続情報を用いて、前記第２通信インタフェースを通じて前記指定装置に出力指示情報を送信する第１出力指示処理であって、前記出力指示情報は、前記指定データを出力する出力動作の実行を指示する情報である第１出力指示処理と、
前記受付規制処理及び前記表示処理のいずれかの実行後に前記第１通信インタフェースと前記画像出力装置とが近距離無線接続されたことに応じて、近距離無線接続された前記画像出力装置に前記第２通信インタフェースを通じて前記直接無線通信によって前記出力指示情報を送信する第２出力指示処理と、を前記携帯端末に実行させるプログラム。
【請求項２】
前記メモリは、前記接続情報に対応付けられた第１条件情報と、前記第１条件情報と異なる第２条件情報とを記憶しており、前記第１条件情報及び前記第２条件情報は、前記出力動作の実行条件を示す情報であり、
該プログラムは、
前記第１出力指示処理において、前記第１条件情報で示される前記実行条件に従った前記出力動作の実行を指示する前記出力指示情報を送信し、
前記第２出力指示処理において、前記第２条件情報で示される前記実行条件に従った前記出力動作の実行を指示する前記出力指示情報を送信する請求項１に記載のプログラム。
【請求項３】
前記第２出力指示処理では、前記実行指示画面を前記ディスプレイに表示させた状態で、前記第１通信インタフェースと前記画像出力装置とが近距離無線接続されたことに応じて、前記直接無線通信によって前記出力指示情報を送信する請求項１又は２に記載のプログラム。
【請求項４】
近距離無線通信が可能な第１通信インタフェースと、前記第１通信インタフェースより通信範囲の広い無線通信が可能な第２通信インタフェースと、メモリと、ユーザによる操作を受け付ける入力インタフェースと、ディスプレイと、を備える携帯端末によって実行可能なプログラムであって、
前記第１通信インタフェースと近距離無線接続された画像出力装置を、指定装置として特定する特定処理と、
前記第２通信インタフェースを通じて前記指定装置と通信するための接続情報を、前記指定装置から受信する受信処理と、
前記受信処理で受信した前記接続情報を前記メモリに記憶させる第１記憶処理と、
指定データを指定する操作を、前記入力インタフェースを通じて受け付ける第１受付処理と、
前記メモリに前記接続情報が記憶されているか否かを判断する第１判断処理と、
記憶されていないと前記第１判断処理で判断したことに応じて、実行指示オブジェクトを無効化した実行指示画面を前記ディスプレイに表示させる受付規制処理と、
記憶されていると前記第１判断処理で判断したことに応じて、前記実行指示オブジェクトを有効化した実行指示画面を前記ディスプレイに表示させる表示処理と、
前記入力インタフェースを通じて、前記受付規制処理で表示された前記実行指示画面で有効化された前記実行指示オブジェクトを指定する操作を、指示操作として受け付ける第２受付処理と、
前記第２受付処理で前記指示操作を受け付けたことに応じて、前記メモリに記憶された前記接続情報を用いて、前記第２通信インタフェースを通じて前記指定装置に出力指示情報を送信する第１出力指示処理であって、前記出力指示情報は、前記指定データを出力する出力動作の実行を指示する情報である第１出力指示処理と、
前記受付規制処理及び前記表示処理のいずれかの実行後に前記第１通信インタフェースと前記画像出力装置とが近距離無線接続されたことに応じて、近距離無線接続された前記画像出力装置に前記第２通信インタフェースを通じて前記出力指示情報を送信する第２出力指示処理と、を前記携帯端末に実行させ、
前記メモリは、前記接続情報に対応付けられた第１条件情報と、前記第１条件情報と異なる第２条件情報とを記憶しており、前記第１条件情報及び前記第２条件情報は、前記出力動作の実行条件を示す情報であり、
該プログラムは、
前記第１出力指示処理において、前記第１条件情報で示される前記実行条件に従った前記出力動作の実行を指示する前記出力指示情報を送信し、
前記第２出力指示処理において、前記第２条件情報で示される前記実行条件に従った前記出力動作の実行を指示する前記出力指示情報を送信するプログラム。
【請求項５】
前記受信処理において、前記指定装置に対して指定可能な前記実行条件の一覧を示す能力情報をさらに受信し、
前記第１条件情報に含める前記実行条件を前記能力情報の範囲内で指定するユーザ操作を、前記入力インタフェースを通じて受け付ける第３受付処理と、
前記第３受付処理で指定された前記実行条件を示す前記第１条件情報を、前記メモリに記憶させる第２記憶処理とを前記携帯端末に実行させる請求項４に記載のプログラム。
【請求項６】
前記特定処理で前記指定装置を特定したことに応じて、前記メモリに前記接続情報が既に記憶されているか否かを判断する第３判断処理と、
記憶されていないと前記第３判断処理で判断したことに応じて、前記第１記憶処理とを前記携帯端末に実行させる請求項１から５のいずれかに記載のプログラム。
【請求項７】
記憶されていると前記第３判断処理で判断したことに応じて、前記メモリに記憶されている前記接続情報を、前記受信処理で受信した前記接続情報で上書きするか否かを選択するユーザ操作を、前記入力インタフェースを通じて受け付ける第４受付処理と、
前記第４受付処理で上書きが選択されたことに応じて、前記第１記憶処理とを前記携帯端末に実行させる請求項６に記載のプログラム。
【請求項８】
近距離無線通信が可能な第１通信インタフェースと、
前記第１通信インタフェースより通信範囲の広い無線通信が可能であって、且つ中継装置を経由せずに外部装置と無線通信する直接無線通信が可能である第２通信インタフェースと、
メモリと、
ユーザによる操作を受け付ける入力インタフェースと、
ディスプレイと、
制御部と、を備え、
前記制御部は、
前記第１通信インタフェースと近距離無線接続された画像出力装置を、指定装置として特定する特定処理と、
前記第２通信インタフェースを通じて前記指定装置と通信するための接続情報を、前記指定装置から受信する受信処理と、
前記受信処理で受信した前記接続情報を前記メモリに記憶させる第１記憶処理と、
指定データを指定する操作を、前記入力インタフェースを通じて受け付ける第１受付処理と、
前記メモリに前記接続情報が記憶されているか否かを判断する第１判断処理と、
記憶されていないと前記第１判断処理で判断したことに応じて、実行指示オブジェクトを無効化した実行指示画面を前記ディスプレイに表示させる受付規制処理と、
記憶されていると前記第１判断処理で判断したことに応じて、前記実行指示オブジェクトを有効化した実行指示画面を前記ディスプレイに表示させる表示処理と、
前記入力インタフェースを通じて、前記受付規制処理で表示された前記実行指示画面で有効化された前記実行指示オブジェクトを指定する操作を、指示操作として受け付ける第２受付処理と、
前記第２受付処理で前記指示操作を受け付けたことに応じて、前記メモリに記憶された前記接続情報を用いて、前記第２通信インタフェースを通じて前記指定装置に出力指示情報を送信する第１出力指示処理であって、前記出力指示情報は、前記指定データを出力する出力動作の実行を指示する情報である第１出力指示処理と、
前記受付規制処理及び前記表示処理のいずれかの実行後に前記第１通信インタフェースと前記画像出力装置とが近距離無線接続されたことに応じて、近距離無線接続された前記画像出力装置に前記第２通信インタフェースを通じて前記直接無線通信によって前記出力指示情報を送信する第２出力指示処理と、を実行する携帯端末。
【請求項９】
近距離無線通信が可能な第１通信インタフェースと、
前記第１通信インタフェースより通信範囲の広い無線通信が可能な第２通信インタフェースと、
メモリと、
ユーザによる操作を受け付ける入力インタフェースと、
ディスプレイと、
制御部と、を備え、
前記制御部は、
前記第１通信インタフェースと近距離無線接続された画像出力装置を、指定装置として特定する特定処理と、
前記第２通信インタフェースを通じて前記指定装置と通信するための接続情報を、前記指定装置から受信する受信処理と、
前記受信処理で受信した前記接続情報を前記メモリに記憶させる第１記憶処理と、
指定データを指定する操作を、前記入力インタフェースを通じて受け付ける第１受付処理と、
前記メモリに前記接続情報が記憶されているか否かを判断する第１判断処理と、
記憶されていないと前記第１判断処理で判断したことに応じて、実行指示オブジェクトを無効化した実行指示画面を前記ディスプレイに表示させる受付規制処理と、
記憶されていると前記第１判断処理で判断したことに応じて、前記実行指示オブジェクトを有効化した実行指示画面を前記ディスプレイに表示させる表示処理と、
前記入力インタフェースを通じて、前記受付規制処理で表示された前記実行指示画面で有効化された前記実行指示オブジェクトを指定する操作を、指示操作として受け付ける第２受付処理と、
前記第２受付処理で前記指示操作を受け付けたことに応じて、前記メモリに記憶された前記接続情報を用いて、前記第２通信インタフェースを通じて前記指定装置に出力指示情報を送信する第１出力指示処理であって、前記出力指示情報は、前記指定データを出力する出力動作の実行を指示する情報である第１出力指示処理と、
前記受付規制処理及び前記表示処理のいずれかの実行後に前記第１通信インタフェースと前記画像出力装置とが近距離無線接続されたことに応じて、近距離無線接続された前記画像出力装置に前記第２通信インタフェースを通じて前記出力指示情報を送信する第２出力指示処理と、を実行し、
前記メモリは、前記接続情報に対応付けられた第１条件情報と、前記第１条件情報と異なる第２条件情報とを記憶しており、前記第１条件情報及び前記第２条件情報は、前記出力動作の実行条件を示す情報であり、
前記制御部は、
前記第１出力指示処理において、前記第１条件情報で示される前記実行条件に従った前記出力動作の実行を指示する前記出力指示情報を送信し、
前記第２出力指示処理において、前記第２条件情報で示される前記実行条件に従った前記出力動作の実行を指示する前記出力指示情報を送信する携帯端末。